(57)【要約】【課題】比較的小さな電源回路により、少ない数の白色ＬＥＤで必要な光量を確保すること。【解決手段】発光部を構成する複数のＬＥＤの各ＬＥＤに定格以上の電流を流して発光させる。これにより、各ＬＥＤの光量は定格以上になるため、発光部を構成するＬＥＤの数を削減しても必要な光量を確保することができる。【選択図】　図１
2004077597.tif 000002
【特許請求の範囲】
【請求項１】
複数個のＬＥＤで構成された発光部を有するストロボ装置において、
前記各ＬＥＤに定格以上の電流を供給して発光させる発光駆動手段を具備することを特徴とするストロボ装置。
【請求項２】
前記発光駆動手段は、電池電圧を昇圧してコンデンサに蓄積する手段を備え、前記コンデンサの蓄積電荷を前記複数個のＬＥＤを通して放電させることにより前記ＬＥＤを発光させることを特徴とする請求項１に記載のストロボ装置。
【請求項３】
前記ＬＥＤは白色ＬＥＤであることを特徴とする請求項１又は２に記載のストロボ装置。
【発明の詳細な説明】
【０００１】
【発明の属する技術分野】
本発明は、発光部を複数の発光素子（ＬＥＤ）で構成したストロボ装置に関する。
【０００２】
【従来の技術】
従来より、ストロボ装置の発光部として複数の白色ＬＥＤを配置して構成するものがあり、発光部の寿命を著しく長くでき、またその機械的強度を向上させることができる。しかし、１個の白色ＬＥＤの光量はそれ程多くないので、写真撮影に使用するに必要な光量を得るには、白色ＬＥＤを３０〜４０個使用し、これらを一斉に発光させてストロボ光を得ている。
【０００３】
【発明が解決しようとする課題】
上記のように白色ＬＥＤを３０〜４０個配置してストロボ装置の発光部を構成すると、白色ＬＥＤが高価なため、ストロボ装置の値段が高くなってしまう。また、発光させる白色ＬＥＤの数が多くなると、消費電流が大きくなるため大きな容量の電源回路が必要になると共に、電池の消耗が大きくなって電池寿命が短かくなってしまう。
【０００４】
本発明は、上述の如き従来の課題を解決するためになされたもので、その目的は、比較的小さな電源回路により、少ない数の白色ＬＥＤで必要な光量を確保することができるストロボ装置を提供することである。
【０００５】
【課題を解決するための手段】
本発明の課題を解決する請求項１の発明は、複数個のＬＥＤで構成された発光部を有するストロボ装置において、前記各ＬＥＤに定格以上の電流を供給して発光させる発光駆動手段を具備することを特徴とする。
【０００６】
上記発明によれば、発光部を構成する各ＬＥＤに定格以上の電流が流れるため、定格以上の光量で発光する。
【０００７】
請求項２の発明の発光駆動手段は、電池電圧を昇圧してコンデンサに蓄積する手段を備え、前記コンデンサの蓄積電荷を前記複数個のＬＥＤを通して放電させることにより前記ＬＥＤを発光させる。
【０００８】
請求項３の発明のＬＥＤは白色ＬＥＤである。
【０００９】
【発明の実施の形態】
以下、本発明の実施の形態を図面に基づいて説明する。図１は、本発明の一実施の形態に係るストロボ装置の回路構成例を示した回路図である。
【００１０】
ストロボ装置は、装置の電源となる内臓の電池１、電池１からの供給電圧を昇圧する昇圧回路２、昇圧回路２により昇圧された電圧を蓄積する大容量のコンデンサ３、ストロボ光を発光する発光部４及びこの発光部４の発光を制御するサイリスタ５により構成されている。
【００１１】
ここで、昇圧回路２は昇圧コイルＬ，スイッチングトランジスタＴｒ，整流ダイオードＤ，スイッチング制御回路２１、分圧電圧Ｅｒを生成するための分圧抵抗Ｒ１，Ｒ２から成っている。発光部４は複数個の白色ＬＥＤ４１で構成され、直列接続された４個の白色ＬＥＤ４１の組が複数組並列に接続されている。
【００１２】
次に、本実施の形態の動作を説明する。電池１から供給された電流はスイッチングトランシスタＴｒによりスイッチングされるため、昇圧コイルＬにスイッチング電流が流れて高電圧が発生する。この高電圧は整流ダイオードＤにより整流されてコンデンサ３を充電する。
【００１３】
その際、整流ダイオードＤの出力電圧は分圧抵抗Ｒ１，Ｒ２により分圧され、その分圧電圧Ｅｒがスイッチング制御回路２１にフィードバックされる。スイッチング制御回路２１はフィードバックされる分圧電圧Ｅｒが設定電圧になるようにトランシスタＴｒのスイッチング動作を制御する。このため、整流ダイオードＤの出力電圧は常に所定電圧になる。
【００１４】
サイリスタ５のゲートＧはカメラ側（図示せず）のＸ接点に接続される端子６に接続され、通常はローレベルであり、サイリスタ５はオフされている。上記のようにコンデンサ３が所定電圧まで充電された後、カメラ側のシャッターに連動して発生されるハイレベルのパルス信号１００が端子６からサイリスタ５のゲートＧに印加されると、サイリスタ５はオンになってコンデンサ３に蓄積された電荷が発光部４の白色ＬＥＤ４１を通って放電するため、複数の白色ＬＥＤ４１が一斉に発光する。
【００１５】
ところで、本例の昇圧回路２により昇圧されてコンデンサ３に蓄積される電圧は白色ＬＥＤ４１の定格電流の例えば２倍程度を各白色ＬＥＤ４１に流せる電圧に設定されており、また、コンデンサ３の容量は全ての白色ＬＥＤ４１に２倍程度の電流を短時間（ストロボ発光時間）流せるだけの容量を持っている。
【００１６】
従って、コンデンサ３が所定電圧まで充電された後、サイリスタ５がオンすると、発光部４の白色ＬＥＤ４１には定格電流の２倍程度の電流が流れて発光する。尚、白色ＬＥＤ４１に定格電流の２倍程度の電流を短時間流しても、定格電流は連続使用時の仕様であるため、白色ＬＥＤ４１が破壊されたり、或いはその寿命を短くするようなことはほとんどない。
【００１７】
本実施の形態によれば、発光部４を構成する白色ＬＥＤ４１に例えば定格電流の２倍程度の電流を流して発光させると、その光量を定格以上にすることができるため、白色ＬＥＤ４１の数を少なくしても必要な光量を得ることができる。従って、従来、例えば３０〜４０個必要であった白色ＬＥＤ４１の個数を２０〜３０個程度に減らすことができ、その分、ストロボ装置の製品価格の上昇を抑えることができる。
【００１８】
また、電池電圧を昇圧回路２で昇圧して大容量のコンデンサ３に蓄積することにより発光部４を発光させる電源を確保する構成により、電池１は３Ｖ〜６Ｖ程度でその容量も小さくて良いので何本も使用する必要がないと共に、ストロボ発光に支障がない程度の緩慢さでコンデンサ３に充電するようにすれば、昇圧回路２の容量も小さなもので済むため、電源回路部を小さくでき、ストロボ装置の小型軽量化を図ることができる。
【００１９】
尚、本発明は上記実施の形態に限定されることなく、その要旨を逸脱しない範囲において、具体的な構成、機能、作用、効果において、他の種々の形態によっても実施することができる。例えば上記実施の形態の発光部４を構成する白色ＬＥＤ４１には定格の２倍程度の電流を流すとしたが、状況に応じて白色ＬＥＤ４１が破壊しない範囲で適切な電流を設定することができる。当然のことながら、白色ＬＥＤ４１に流す電流が大きければ大きいほど白色ＬＥＤ４１の必要個数を削減することができる。
【００２０】
また、発光部４に使用するＬＥＤは白色でなく、例えば赤、青、緑の複数色のＬＥＤを複数個ずつ混ぜて白色光を得るようにしたものでも、本発明を適用して使用個数を削減することができる。
【００２１】
【発明の効果】
以上詳細に説明したように、本発明によれば、電池電圧を昇圧してコンデンサに蓄積した電圧を発光部を構成する複数の白色ＬＥＤに印加して発光部を構成する各白色ＬＥＤに定格以上の電流を流して発光させることにより、比較的小さな電源回路により、少ない数の白色ＬＥＤで必要な光量を確保することができる。
【図面の簡単な説明】
【図１】本発明の一実施の形態に係るストロボ装置の回路構成例を示した回路図である。
【符号の説明】
１　電池
２　昇圧回路
３　コンデンサ
４　発光部
５　サイリスタ
６　端子
２１　スイッチング制御回路
４１　白色ＬＥＤ
Ｄ　整流ダイオード
Ｌ　昇圧コイル
Ｒ１、Ｒ２　分圧抵抗
Ｔｒ　スイッチングトランジスタ
【図１】
2004077597.tif 000003